(57)【特許請求の範囲】
【請求項１】
可変的な眼科処方に対応すると共に、各処方に対して、凝視の方向の固定された少なくとも一つの仰角(α)の参照値（α０)に対する前記凝視の方向（Ｄ）の方位角の値(β)との関数とした、ぼやけの値（Ｂ）の少なくとも一つの分布に対応する一連のメガネレンズ（Ｖ１,…, Ｖ１４）の特徴を得る第１ステップと、
前記ぼやけの参照閾値（ＢＲ）を得る第２ステップと、
特定された着用者のために、眼科処方と、前記着用者によって知覚された少なくとも一つのぼやけの知覚の閾値（Ｂ０）とを得る第３ステップと、
第１ステップにおいて用いられる前記一連のメガネレンズから、前記着用者の前記眼科処方に対応する第１レンズ（Ｖ７）を選択する第４ステップと、
前記第１レンズ（Ｖ７）及び前記仰角の参照値（α０)に対して、前記第１レンズが前記ぼやけの参照閾値（ＢＲ）を有する凝視の方向の方位角の値(βＲ７（α０）)を決定する第５ステップと、
前記着用者の前記眼科処方に対応する第２レンズ（Ｖ４）を決定する第６ステップであって、第５ステップにおいて決定された前記仰角の参照値（α０)及び前記方位角の値(βＲ７（α０）)のための第２レンズのぼやけの値が、第３ステップの前記着用者のために得られたぼやけの知覚の閾値（Ｂ０）に対して絶対値で０．５０ジオプタ以下の不一致とする第６ステップと、
第６ステップにおいて選択された前記第２レンズ（Ｖ４）に従って着用者に意図された眼科用メガネレンズ（１）を製造する第７ステップと、
を備える、特定着用者のために意図されていると共に該着用者のぼやけ知覚の関数としてカスタマイズされた、眼科用メガネレンズ（１）の製造方法。
【請求項２】
第５ステップにおいて決定された前記仰角の参照値（α０)及び前記方位角の値(βＲ７（α０）)に対して第６ステップにおいて選択された前記第２レンズ（Ｖ４）の前記ぼやけの値と、第３ステップにおいて前記着用者のために得られた前記ぼやけ知覚の閾値（Ｂ０）との不一致が絶対値で０．２５ジオプタ以下である、請求項１に記載の方法。
【請求項３】
第２ステップにおいて得られた前記ぼやけの参照閾値（ＢＲ）が、知覚されるぼやけの閾値の平均は、標本母集団における個人のそれぞれに対して得られた知覚されるぼやけの閾値の平均である、請求項１又は２に記載の方法。
【請求項４】
前記ぼやけの参照閾値が以前に決められた以前の標本母集団に関して増加した新規な標本母集団を基礎として、前記ぼやけの参照閾値（ＢＲ）を更新する事前ステップを更に備える、請求項３に記載の方法。
【請求項５】
前記凝視の方向（Ｄ）の仰角の値（α）及び方位角の値（β）の一組に対して任意のレンズに対する前記ぼやけの値は、以下の式によって算出される：
Ｂ＝｜ＷＰ−Ｐ｜＋｜Ａ｜／２１／２
ここで、Ｂは前記ぼやけの値であり、ＷＰは前記レンズに対し且つ前記凝視の方向の前記仰角の値に対応する眼科処方の視力の値であり、Ｐ及びＡはそれぞれ、前記仰角の値及び前記方位角の値の一組に対する視力及び残余乱視の値である、請求項１〜４の何れか一項に記載の方法。
【請求項６】
前記仰角の参照値（α０）が、各レンズの合わせ十字（ＦＣ）を通過する凝視の方向（Ｄ０）の下において、２０°との４５°との間で固定される、請求項１〜５の何れか一項に記載の方法。
【請求項７】
前記仰角の参照値（α０）が、各レンズの合わせ十字（ＦＣ）を通過する凝視の方向（Ｄ０）に対して−１０°と＋２°との間で固定されており、前記仰角の値が前記合わせ十字の上方及び下方をそれぞれ通過する凝視の方向（Ｄ）に対して正及び負である、請求項１〜５の何れか一項に記載の方法。
【請求項８】
第１ステップにおいて、前記ぼやけの値の分布が、前記方位角の値の関数として一連のメガネレンズのそれぞれに対して、又は前記凝視の方向における前記仰角の固定された幾つかの参照値に対して得られ、
第３ステップにおいて、前記特定着用者によって知覚される前記知覚されるぼやけの閾値は、各仰角の参照値に対して得られ、
第５ステップにおいて、各仰角の参照値に対して、各仰角の参照値と関連付つけられたある方位角の値が決められ、前記第１レンズは前記仰角の参照値のための前記ぼやけの参照閾値を有し、
第１ステップにおいて使用されると共に、第５ステップの繰り返しの間に決定される対応する方位角の値に関連するすべての前記仰角の参照値に対して、前記第２レンズが前記ぼやけの値を有するように、第６ステップが実行され、それぞれが前記着用者のため且つ対応する前記仰角の参照値のために、第３ステップにおいて得られた前記ぼやけ知覚の閾値と、絶対値で０．５０ジオプタ以下の不一致とする、請求項１〜５の何れか一項に記載の方法。
【請求項９】
第１仰角の参照値が、各レンズの合わせ十字を通過する凝視の方向の下方において、２０°との４５°との間で固定され、
第２仰角の参照値が、各レンズの合わせ十字を通過する凝視の方向に対して−１０°と＋２°との間で固定されており、前記仰角の値が前記合わせ十字の上方及び下方をそれぞれ通過する凝視の方向に対して正及び負である、請求項８に記載の方法。
【請求項１０】
第１ステップにおいて用いられる前記一連のメガネレンズがプログレッシブレンズであり、選択的に各処方に対する変更可能なデザインに更に対応する、請求項１〜９の何れか一つに記載の方法。
【請求項１１】
第１ステップにおいて用いられる仰角の参照値のうちの少なくとも１つが、第１ステップにおいて用いられる前記一連のメガネレンズの少なくとも一つの近見視力領域又は遠見視力領域に対応する仰角の値の間に含まれる、請求項１０に記載の方法。
【請求項１２】
第１ステップにおいて用いられる前記一連のメガネレンズが単焦点レンズであり、選択的に処方の全く同じ中心視覚の矯正のための変更可能な周辺視覚の矯正に更に対応する、請求項１〜９の何れか一項に記載の方法。
【請求項１３】
第１ステップにおいて用いられる前記一連のメガネレンズが、それぞれの処方に対して、前記凝視の方向の前記仰角（α）の各々の参照値に対して、前記凝視の方向（Ｄ）の前記方位角の値（β）の関数として前記ぼやけの値（Ｂ）の可変的な分布に対応する幾つかのレンズを備え、
前記第２レンズが前記一連のメガネレンズから第６ステップにおいて選択される、請求項１〜１２の何れか一項に記載の方法。
【請求項１４】
第４ステップにおいて選択された前記第１レンズを基礎として数値的な最適化を実行することによって、ぼやけ目標値として第３ステップの実行の間に前記着用者のために、且つ第５ステップの実行の間に決定された対応する方位角の値のために得られた知覚されるぼやけの閾値のそれぞれに前記最適化を導入することで、前記第２レンズが第６ステップにおいて選択される、請求項１〜１２の何れか一項に記載の方法。
【請求項１５】
前記着用者の眼科処方と前記着用者のために実行された眼−頭部協同の測定の結果との関数として、前記第１レンズが第４ステップにおいて選択される、請求項１〜１４の何れか一項に記載の方法。
【請求項１６】
第３ステップにおいて前記着用者のために得られた各ぼやけ知覚の閾値が、前記着用者のために実行された心理学的分析及び／又は前記着用者の顔を用いて実行された形態的解析（morphological analysis）から推定される、請求項１〜１５の何れか一項に記載の方法。
【発明の詳細な説明】
【技術分野】
【０００１】
本発明は、特定された着用者を対象とすると共にこの着用者のぼやけ知覚の関数としてカスタマイズされたメガネレンズの製造に関する。
【背景技術】
【０００２】
周知の方法において、眼鏡の着用者の屈折異常(ametropia)と、着用者によって着用される眼科用レンズによって与えられる眼科的矯正の間における差は、ぼやけと呼ばれる着用者の不明瞭性（fuzziness）を生む。ぼやけが網膜の後方における不鮮明な画像に起因するとき、着用者の眼調節の限界を超えない限り、適応遅延の範囲内で、着用者の目の適応によって、自発的に取り除かれる。しかし、それは着用者に視覚疲労をもたらす。しかし、一般の方法で、目の調節力以外に、着用者の屈折異常と着用者が着用するメガネレンズの眼科的矯正との間における差に起因するぼやけは、視力障害（a defect of his vision）を構成する。
【０００３】
現在、改善された眼科的矯正を生成する特定のメガネレンズも、このぼやけが非常に制限されてはいるが、凝視する特定の斜め方向に対して、或る程度のぼやけをもたらす。
特に、そのようなケースは、老眼の着用者がレンズの決定されたゾーンを介して可変的な距離で明らかに見ることができるプログレッシブレンズ（progressive lenses）に関するケースであり、このケースはこれらのゾーン以外において、視力の変化と着用者の視覚的ぼやけをもたらす乱視の変化とを示す。そのようなケースは、単焦点メガネレンズに関するケースも該当する。単焦点メガネレンズは、着用者の中心視覚（foveal vision）及び周辺視野（peripheral vision）を同時に矯正するために適している。その後、これらのようなプログレッシブレンズ又は中心・周辺視覚矯正レンズは、特定の着用者に割り当てられ、提供可能な改善された光学的矯正と、見つける斜め方向に残存するぼやけと、が折り合いづけられる。
【発明の概要】
【発明が解決しようとする課題】
【０００４】
しかし、多数の生理学的研究は、異なる対象者間において視覚的ぼやけ知覚が大きく変化することを示している。このように、同一の眼科処方を受けて、眼科レンズ又はそれと同等であるものを着用した２人の眼鏡着用者は、見つめる特定の斜め方向において、これらのレンズに起因するぼやけによって、感じる不便さは異なることがある。例えば、第１着用者は、このぼやけによって不便を感じる一方、第２着用者は、視覚的に快適さを感じる場合がある。着用者等の眼の機能と彼等が生じる残存するぼやけとの間において、これらの等しいレンズによって提供される折り合い（compromise）は、第２着用者に適しているのだとすれば、第１着用者のために修正されなければならない。
【０００５】
このように、本発明の目的は、その眼鏡の着用が予定された着用者によるぼやけ知覚の関数としてカスタマイズされているメガネレンズを製造することである。
【０００６】
本発明の他の目的は、在庫して利用できなければならず、全く同じ眼科処方に対応する異なるレンズのモデルの数を増加させることなく、メガネレンズが製造される際において、着用者のぼやけ知覚を考慮することにある。
【課題を解決するための手段】
【０００７】
本発明が、
・可変的な眼科処方に対応すると共に、各々の処方に対して、凝視の方向における少なくとも一つの固定された仰角の参照値に対して、凝視の方向の方位角の値の関数として、ぼやけの値の少なくとも一つの分布に対応する一連のメガネレンズの特徴を得るステップ／１／と、
・ぼやけの参照閾値を得るステップ／２／と、
・特定された着用者のために、眼科処方と、着用者によって知覚されたぼやけの少なくとも一つの閾値とを得るステップ／３／と、
・ステップ／１／において用いられる前記一連のメガネレンズから、着用者の前記眼科処方に対応する第１レンズを選択するステップ／４／と、
・前記第１レンズ及び前記仰角の参照値に対して、前記第１レンズが前記ぼやけの参照閾値を有する凝視の方向の方位角の値を決定するステップ／５／と、
・着用者の前記眼科処方に対応する第２のレンズを決定するステップであって、ステップ／５／において決定された前記仰角の参照値及び前記方位角の値における第２レンズのぼやけの値が、ステップ／３／の着用者のために得られた知覚されるぼやけ知覚の閾値に関する絶対値において０．５０以下ジオプタの不一致にするステップ／６／と、
・ステップ／６／において選択された前記第２レンズに従って着用者を対象とするレンズを製造するステップ／７／と、を備えた眼科用メガネレンズの製造方法を提案する。
【０００８】
このように、同等の眼科処方を有する異なる着用者のために本発明により製造されるメガネレンズが、ぼやけに対する異なる着用者それぞれの感度がどうであれ、着用者によって全く同様に経験されるように各々調整された幅を有する鮮鋭な視覚（sharp  ｖｉｓｉｏｎ）にする。従って、本発明は、各着用者に提供されるレンズをカスタマイズするためにパラメータとして知覚されるぼやけを導入する。
【０００９】
本発明によれば、これらすべての着用者が、ぼやけのレベルがそれらの各々いずれにも受け入れられる視野の垂直中央バンドから同じ恩恵の印象を受けるように、眼科用レンズを異なる着用者に提供することができる。メガネレンズを介したこの視野の中央バンドは、関係する各着用者によって知覚されるように、同じ幅を有する。レンズのカスタム化を行う際に、各着用者のぼやけ知覚の個人性が考慮される。レンズのカスタム化は、着用者に印象と同一の鮮鋭な視野バンドにおける幅についての印象を与える。印象は、他の着用者によって、それらのそれぞれのレンズで経験される。
【００１０】
より正確には、本発明に係る方法におけるステップ／５／は、鮮鋭な視覚の視野（field of sharp vision）、すなわち提供されるレンズによりぼやけのない視野のための参照幅を決定するステップを含む。したがって、ステップ／２／におけるぼやけの参照閾値は、ぼやけの許容量の標準限度として用いられる。それから、ステップ／６／は、考慮される着用者に依存するぼやけ知覚の限度を鮮鋭な視野における参照幅に割り当てるステップを含む。鮮鋭な視野における参照幅の限度で、着用者に提供されるレンズごとに、参照閾値は、このレンズの着用者のために決定されるぼやけの閾値により置き換えられる。
【００１１】
従って、本発明は、一連の各レンズのぼやけの値の分布を決定するために、ステップ／１／において用いられる手順に直接に関連しない。レンズの矯正の欠陥及び／又はこのレンズの光学収差の振幅を算出するために本発明の前に当業者に知られている方法は、凝視の方向ごとに、等価な方法で適用されることができ、すべてが本発明と互換性を持つ。レンズに関連する眼科処方が着用者の視覚に対応する限り、各レンズと該レンズを介した凝視の方向とに対するぼやけの値は、客観的な値であり、すなわちレンズの将来の着用者に依存しない値である。
【００１２】
同様に、本発明が、ぼやけの参照閾値を決定するためにステップ／２／において使われる手順に特に関連しない。本発明の前に公知の方法の何れか一つは、一般に認められており、又はいかなる視覚の不便さも引き起こさないぼやけの平均最大レベルを決定するために用いられ得る。
【００１３】
最終的に、本発明は、各着用者に特有のぼやけの閾値を決定するためにステップ／３／において使われる方法それ自体とは関連していない。同様に、本発明は、各着用者のための、ぼやけの閾値のような個々の決定を実行するために、以前から公知であるすべての方法と互換性を持つ。
【００１４】
従って、本発明は、他の着用者と同様の鮮鋭な視覚の視野の幅を有する感覚を各着用者に与えることを可能にする記載順序に係る連続したステップ／１／〜／７／の実施である。
【００１５】
更に、各着用者に提供される「第２レンズ」と称されるメガネレンズは、第１レンズと同じ一連の初期レンズから選択されることができる。このようにして、本発明によって各着用者に対して特有のぼやけ知覚の関数として提供されるレンズのカスタム化は、全く同一の眼科処方のために備蓄されたレンズの異なるモデルの数を制約することを可能にする。一連のレンズが、例えば異なるデザインに対応する一連の半仕上げのレンズが使用される場合、各着用者によって知覚されるぼやけ関数としてのカスタム化は、同じ一連の半仕上げのレンズの範囲内で提供されるレンズの選択を修正することにより実施されることができる。同様に、提供されるレンズが、前に最適化され且つ記録されたデザインを基礎として製造されるとき、本発明は、新規なデザインを考案することを必要としない。また、提供されるレンズは、入手可能なデザインの中から選択されることができ、又は単に入手可能なデザインを基礎として算出され得る。
【００１６】
ステップ／１／において用いられる一連のレンズは、実際のレンズ、つまり２つの最終的な表面を有する完結したレンズ、又は１つの最終的な表面を有する半仕上げのレンズであっても良い。それらは、それらのそれぞれの特徴の記録によって定められるレンズであってもよい。この場合、本発明は、一連のレンズの各々のために記録された特徴を基礎として実行される。その後、最終レンズは、ステップ／６／において選択された記録された第２レンズによってステップ／７／において製造される。
【００１７】
本発明の改良によれば、レンズのカスタム化は、幾つかの凝視の仰角と同時に各着用者によってぼやけ知覚を考慮することにより行われることができる。したがって、本発明に係る方法におけるステップは、以下のように実施される。
・ステップ／１／において、：方位角の値の関数としてのぼやけの値の分布が、一連の各レンズに対して、又は凝視の方向における仰角の幾つかの固定参照値に対して得られる。
・ステップ／３／において、：
同定された着用者によって知覚されるぼやけの閾値は、各仰角の参照値に対して得られる。
・ステップ５が各仰角の参照値に対して同じ第１レンズに対して繰り返され、各仰角の参照値と関連付けられたある方位角が決定される。第１レンズは、ある方位角に対して、そのぼやけの参照閾値を有する。
・そして、ステップ／１／において使用されると共に、ステップ／５／の繰り返しの間に決定される対応方位角の値に関連するすべての仰角の参照値に対して、第２レンズがそのぼやけの値を有するように、ステップ／６／は実行される。各々は、着用者のために、そして対応する仰角の参照値のために、ステップ／３／において得られた知覚ぼやけの閾値と、絶対値において０．５０ジオプタ以下の不一致をとする。
【００１８】
このように、着用者に提供されるレンズを介した各着用者のためのぼやけの無い視野は、着用者の視覚的ぼやけに対する感度が如何なるものであるかに拘わらず、定常的な方法で知覚される幅プロファイルを示す。
【００１９】
実際には、幾つかの仰角の参照値に対して、又は使われる実際のすべての仰角の参照値に対して、着用者によって知覚される一つ又は同一のぼやけの閾値が用いられ得る。それにもかかわらず、様々な仰角の参照値がレンズを介した視野の可変的な距離に関連するとき、特にこれらのレンズがプログレッシブレンズであるときに、変化可能なぼやけ知覚の閾値は、視野距離の変化と相関し得る。
【００２０】
本発明の他の特徴及び他の効果は、添付の図面に関連した実施の非限定的な実施形態に関する記載において明らかとなるであろう。
【図面の簡単な説明】
【００２１】
【図１】眼科用レンズの着用者の凝視の方向を分類するためのシステムを示す図である。
【図２】全く同じの眼科処方に対応する異なるレンズに対するぼやけの横方向の分布を示す。
【発明を実施するための形態】
【００２２】
図１に関連する本説明において、メガネレンズ着用者の凝視の方向が仰角及び方位角と称される２つの角度によって分類される。したがって、参照方向Ｄ０が採用されており、参照方向Ｄ０は着用者の眼の回転中心Ｒを通過すると共に合わせ十字と呼ばれると共にＦＣと表示されたレンズに刻まれたマークを通過する。通常、合わせ十字ＦＣは、着用者により選択される眼鏡フレームのハウジングにおいてレンズを調整するために用いられ、着用者がまっすぐに前方向を凝視するときに、着用者の凝視の方向が合わせ十字を通過する。図１は、着用者の眼１に対して使用の位置にあるメガネレンズを示す図である。軸Ｘ、Ｙ及びＺを有するシステムは、レンズ１に結ばれており、眼の回転の中心Ｒを原点としてとる。軸Ｘ０、Ｙ０及びＺ０を有するシステムは、眼に結ばれており、ある瞬間での着用者の凝視の方向Ｄが、常に軸Ｘ０の上に置かれる。それは、眼の回転の中央Ｒ及び目の水晶体の頂点Ａを通過する。その後、方向Ｄの仰角（又は「偏角（declination）」）は、垂直面、図のＸ−Ｚ平面において、正確に図られた、Ｘ−Ｚ平面上への凝視のＤにおける参照方向Ｄ０と垂直な投影Ｄ１との間の角度である。通常、仰角は、明らかに凝視の方向のために計算される。下方向、すなわちＸ−Ｙ平面の下の方向に向けられた凝視の方向に対して正としてみなされる。レンズ１を介した凝視の方向Ｄの方位角は、凝視の方向Ｄと垂直Ｘ−Ｚ面との間、すなわち方向Ｄとその投影Ｄ１との間の角度である。規約により、方向Ｄが垂直Ｘ−Ｚ平面に関してレンズ１の鼻側（nasal side）の方を指すときに、方位角が正と判断される。
【００２３】
更に、以下において与えられるメガネレンズの光学特性は、すべての必要な計算及び測定パラメータに対して、当業者によって通常使用される値を採用することで得られる。このような光学特徴は、特に、視力Ｐ及び乱視（astigmatism）の値を含み、決定されたパラメータは、着用者のレンズ着用パラメータ（wearer's lens wearing parameters）、着用者の生理的パラメータ（physiological parameters）等でもよい。本明細書中の説明において、考慮される光学特性は、中心視覚（foveal vision）に関係する。
【００２４】
このように、メガネレンズは、視力及び乱視のチャートの供給によって記述される。このようなチャートは、仰角α及び方位角βの値のそれぞれの組において、ジオプタで表される視力及び乱視の値を示す。
【００２５】
現在、メガネレンズは眼科処方と常に関連しており、この着用者の視覚欠損（visual defect）がレンズの処方に対応するときに、特定された着用者に割り当てられる。レンズの処方は、ＷＰと表示された視力の値を備える。視力は、レンズを介した参照方向、例えば方向Ｄ０に対して製造される。レンズの処方は、ＷＡと表示された乱視値をも備える。それから、残余乱視（residual astigmatism）が導入される。残余乱視Ａは、特定の凝視の方向に対するメガネレンズの乱視の真値（real value）と乱視の処方値ＷＡとの間の差である。一般的な方法において、視力Ｐ及び残余乱視Ａの値は、仰角α及び方位角βによって分類された様々な凝視の方向の間で変化する。
【００２６】
凝視の方向Ｄごとに、眼鏡用レンズは、それ自身によって、画像ぼやけを生む。画像ぼやけの値Ｂは、当業者に知られている幾つかの代替的な数式によって算出され得る。
例えば、ぼやけの値Ｂは、以下の式を使用して算出され得る：
Ｂ＝│ＷＰ−Ｐ│＋│Ａ│／２１／２                （１）
ここで│.│は、絶対値を示す。このように、ぼやけの値Ｂは、一般に、仰角αと、メガネレンズを介した凝視の方向Ｄにおける方位角βとに依存する。
【００２７】
眼調節（ocular accommodation）は、視力障害（optical power defect）ＷＰ−Ｐを補償するのに十分であり、前式は以下のように記述できる：
Ｂ＝│Ａ│／２１／２                （２）
【００２８】
本発明によって特定された着用者に割り当てられる眼科用メガネレンズは、任意のタイプでもよい。通常、本発明に係る方法に用いられる一連の眼鏡レンズは、異なる処方に対して少なくとも一つのレンズを備える。
【００２９】
特に、少なくとも一つのレンズは、通常プログレッシブレンズと呼ばれている視力の漸進的付加（progressive addition）を有する一連のレンズでもよい。この場合、各レンズと関係している眼科処方は、更に付加値を含む。付加値は、レンズを介した近見視力（near vision）方向とレンズと遠見視力（far vision）方向との間におけるレンズの視力差である。従って、一連のレンズは、可変付加値に対応し、２つの連続した付加値が例えば０．２５ジオプタだけ離間している。それらは、遠見視力の方向に対して、前面（front face）の平均曲率及び円筒曲率の可変的な値に更に対応できる。任意的に、それらは、各処方に対して変更可能なデザインに対応することもできる。
【００３０】
代替的に、本発明によって、着用者に割り当てられるレンズは、着用者の中心視覚（foveal vision）の矯正及び周辺視覚（peripheral vision）の矯正を全く同一の時刻で行う単焦点レンズ（monofocal lens）であってもよい。後者の場合、本発明のために使用する一連のレンズの全ては、単焦点であり、視力及び乱視の異なる処方値に対応する。任意には、一連のレンズは、全く同一の処方に対して可変的な周辺視覚矯正（peripheral corrections）に対応するレンズから成ることもできる。
【００３１】
本発明の実施の等価な態様によれば、使用する一連の眼鏡用レンズは、半仕上げレンズ又は仕上げレンズのような真のレンズ（real lenses）であることができ、例えばライブラリで記録されていると共に、レンズの説明を各々含んでいるデジタル・ファイル形式有するカタログにリストされた他のレンズであってもよい。後者の場合、本発明はコンピュータによって実行することができる。そして、着用者に割り当てられるレンズがコンピュータ処理の結果を基礎として製造できる。
【００３２】
その後、凝視の方向Ｄの仰角の少なくとも一つの参照値が固定される。レンズは、凝視の方向Ｄの仰角の少なくとも一つの参照値に対して、将来着用者によるぼやけ知覚に適している。それから、一連のレンズのそれぞれにより形成されるぼやけの値Ｂの横方向の分布は、α０と表記されているこの仰角の値に対して決定される。この分布は、各レンズに対して関数Ｂ（α０，β）の変化により記述される。そのとき、仰角αは参照値α０に常に等しく、方位角βは変化する。他の更なる仰角の値α１、α２、．．．が余分の参照値として考慮されるとき、使用される一連のレンズそれぞれに対して、ぼやけの横分布として、まずは最初にＢ（α１，β）、Ｂ（α２，β）、．．．が得られる。
【００３３】
仰角の参照値α０の第１の好適な選択によれば、方向Ｄ０に対応する各レンズの合わせ十字ＦＣを通過する凝視の方向Ｄの下において、後者は２０°との４５°との間で、好ましくは２６°と３８°との間で固定できる。α０に対するこのような値はプログレッシブレンズを数人の着用者に提供することに特に適しており、それらの全てが全く同一の幅を有する近見視力（near vision）の恩恵を受ける。
【００３４】
仰角の参照値α０の第２の好適な選択によれば、後者は、方向Ｄ０に対して−１０°と＋２°との間で固定されることができる。これのようなα０に対する異なる値はプログレッシブレンズを数人の着用者に提供するのに特に適しており、それらの全てが全く同一の幅を有する中間視力領域（intermediate vision zone）及び遠見視力領域（far vision zone）の恩恵を受ける。また、それは全く同一の時間で中心視覚（foveal vision）及び周辺視野（peripheral vision）で矯正する単焦点レンズにも適している。
【００３５】
幾つかの参照値が仰角のために同時に使われるときに、これらの参照値のうち第１、例えばα０は、２０°と４５°との間で、好ましくは２６°と３８°との間で固定されることができ、これらの参照値のうち第２、例えばα１は、−１０°と＋２°の間に固定できる。
【００３６】
更に、以下において、ぼやけの参照閾値ＢＲは、固定される。値ＢＲは、限界を定める。その限界未満では、大多数によって、ぼやけＢがほとんど認知不可能であるか、又は不便にならないとみなすことができる。この限界は、基準に依存し、又は、使われる視覚的ぼやけ知覚（visual perception ）を評価する検査に依存する。したがって、ぼやけ知覚に関する幾つかの検査が、代替的に用いられ得る。その幾つかの検査は、当業者にとって公知であり、その詳細については、ここで再び述べない。ぼやけの参照閾値ＢＲは、ぼやけ知覚の閾値の平均であってもよい。ぼやけ知覚の閾値の平均は、標本母集団における個人のそれぞれに対して得られる。この場合、本発明の方法は、ぼやけの参照閾値が以前に決められた以前の標本母集団に関して増加した新規な標本母集団を基礎として、ぼやけの参照閾値ＢＲを更新する事前ステップを更に含むことができる。代替的には、ぼやけの参照閾値ＢＲは、結果が発表された研究から入手することが可能である。
【００３７】
それがレンズのぼやけＢ（α０,β）の横方向の配布に供給されるとき、ぼやけの参照閾値ＢＲは、仰角の値α０に対してレンズのバンドの幅（width of a band in the lens）を決定する。レンズのバンドの幅を介して、このレンズの処方に対応するの大多数の個人は、鮮鋭な視野の印象を有する。幾つかの仰角の参照値α０、α１、α２、．．．が同時に考慮され、且つ値ＢＲがぼやけＢ（α０，β），Ｂ（α１，β），Ｂ（α２，β）、．．．の横方向の分布に供給されるときに、各レンズによる鮮鋭な視覚の垂直チャンネルの幅プロファイルは、個々の大多数で評価される視野の鮮鋭さに応じて、定められる。
【００３８】
その後、着用者の眼科処方に加えて、そのレンズの将来着用者によって、知覚されるぼやけの少なくとも一つの閾値Ｂ０は、着用者のために決定される。幾つかの仰角の参照値が使われるとき、着用者によって知覚されるぼやけの閾値は仰角の参照値の各々に対して決定されることができる。それらは、Ｂ０、Ｂ１、Ｂ２、．．．等で示され、α０、α１、α２、．．．のそれぞれと関連付けられる。後者に対しては、着用者によって知覚されるこのようなぼやけの閾値は、参照閾値ＢＲのためにすでに言及されるそれらと同等である視覚的知覚の検査を実行することによって得られることが可能である。代替的に、着用者に対して得られた各ぼやけ知覚閾値は、着用者のために行われる心理学的分析（psychological analysis）から、及び／又は着用者の顔を用いて行われる形態的分析（morphological analysis）から推論され得る。個人の特定の心理的特徴と着用者のぼやけ知覚との間に定められる関係に関する利用可能な物品に関連して参照可能である。特に、また、内向（introversion）型の典型的心理学的特徴を示す、特に自信欠如である個人が、外向型の個人よりぼやけに対するより大きな忍耐力を有すると認識される。同様に、形態心理学的研究（morphopsychology studies）は、個人の顔の特定の特徴と、その個人の関連する心理的特徴（psychological characteristics）との関連性を定めている。
【００３９】
本発明の簡略化された実施形態において、仰角の参照値α０、α１、α２、．．．のそれぞれに関連付けられたすべての閾値Ｂ０、Ｂ１、Ｂ２、．．．は、着用者によって知覚される全く同一のぼやけの閾値に対して同等であってもよい。
【００４０】
その後、第１メガネ用レンズは、一連の中から選択される。その際，第１メガネレンズは、着用者の眼科処方に対応している。一連のレンズが各々の処方に対する単一レンズだけを備えているとき、このレンズが第１レンズとして選ばれる。更に記述されているように、第２レンズと呼ばれると共に最終的に着用者に割り当てられるレンズは、適切に第１レンズを矯正することによって得られる。
【００４１】
一連の眼鏡用レンズは、全く同一の処方のための幾つかのレンズを備えているとき、任意に付加的な選択基準を用いて、それらのうちの１つが第１レンズとして選ばれる。例えば、一連のプログレッシブレンズは、各々の眼科処方に対して、幾つかのデザインを備えることができる。幾つかのデザインは、後者の各々が異なる方向にある対象物を連続して見るときの、着用者の異なる挙動に対応している。挙動におけるこれらの変化は、各着用者によって同時に実行され、特に眼の回転動作と頭部の回転動作との間の可変的な協調（coordination）に対応することができる。そのデザインが、眼科処方に加えて、着用者の眼の動作及び頭部の動作の協同の関数として変化する一連のレンズは、当業者に周知である。この場合、第１レンズは、着用者の眼科処方と着用者のために実行された眼−頭部の協調測定の結果との関数として選択されることができる。本発明は、眼科処方と、着用者の眼及び頭の動作の協同測定とのみによって生じる選択に関して、着用者に最終的に提供されるレンズにおける変化を導入する。眼及び頭部の動作のこの協同に加えて、提供されるレンズは、ぼやけに対する着用者の敏感度が考慮される。このようにして、各着用者に提供される眼鏡用レンズは、眼及び頭部の運動における協同と、ぼやけに対する着用者の個々の知覚とに対して全く同じ時間で適応される。
【００４２】
まず単一の仰角の参照値α０が考慮されるときに関して、図２を参照して、本発明を詳細に説明する。この図は、一連のレンズのうち幾つかのレンズにおけるぼやけの横方向の分布Ｂ（α０, β）を表す線図である。それは、例えばＶ１〜Ｖ１４で特定された１４個のレンズに対する着用者の処方に対応する。線図の水平軸は、「度（°）」で表される方位角でラベル付けられており、垂直軸は、一連のレンズそれぞれのぼやけの値でラベルつけられている。それは、例えば上述の式（１）により算出される。選択される第１レンズは、例えば、着用者の目及び頭の動作の協調を考慮して、レンズＶ７にしてもよい。
【００４３】
それから、０．５０ジオプタに等しいぼやけの参照閾値ＢＲは、ものの例えとして、線図の垂直軸にプロットされる。それから、レンズＶ７のための分布曲線は、βＲ７（α０）と示された方位角の値を表す。方位角の値βＲ７（α０）に対して、レンズＶ７のぼやけＢは参照値ＢＲに等しい。線図において、方位角の値βＲ７（α０）は、１６．６°に等しい。
【００４４】
それから、図２の線図は検索され、レンズＶ１〜Ｖ１４の一つが、方位角の値βＲ７（α０）に対して着用者によって知覚されたぼやけの閾値Ｂ０を有することが見つかる。例えば、Ｂ０は、着用者に対して、０．３９ジオプタに等しいとみなされる。このように、レンズＶ４は、第２レンズとして選ばれて、着用者に割り当てられる。第２レンズが方位角の値１６．６°に対して０．３９ジオプタのぼやけＢだけを示すにもかかわらず、平均的な着用者に対するレンズＶ７のそれと同一である鮮鋭な視野（field of sharp vision）の主観的な幅を提供する。
【００４５】
この実施形態において、本発明は、着用者の眼と頭部との動作の協同の関数としておそらく選択された第１レンズに関して着用者に割り当てられるレンズＶ１〜Ｖ１４のうちの一つの変更を導く。この変更は、各着用者特有のぼやけ知覚を考慮することを可能にする。従って、この変更は一連のメガネレンズの新規な使用法をもたらす。新規な使用法では、これらのレンズが矯正されることを必要としない。
【００４６】
通常、選択される第２レンズは、方位角の値βＲ７（α０）に対して必ずしもぼやけの値Ｂ０を表さなくても良い。選択された第２レンズは、第２レンズが着用者のぼやけ知覚に適応されるように、方位角の値βＲ７（α０）に対して絶対値において０．５０ジオプタ未満、好ましくは０．２５ジオプタ未満の不一致を示す。
【００４７】
今まで記載してきた本発明の異なる実施形態において、用いられる一連の眼科用メガネレンズは、少なくとも一つのパラメータによって指標化された一組のレンズであってもよい。そのようなケースとしては、例えば、レンズが少なくとも一つの可変的なパラメータを含む方程式により定義される形状の表面を有するケースがある。パラメータの値は、連続する２つの異なるレンズ間に不連続的に又は連続的に変動し、それらのための指標化（indexation）を構成する。その後、連続の任意のレンズを選択することは、指標化パラメータの値を選択することである。
【００４８】
用いられる一連の眼鏡用レンズが、着用者の眼科処方に対して単一レンズだけを備えているとき、図２の線図を基礎として記載したように、第２レンズは決定されることができない。着用者に最終的に割り当てられる第２レンズは、拘束条件として第１及び第２のレンズが同一処方を有することと、α０及びβＲ７（α０）の仰角及び方位角に対して第２のレンズがぼやけＢに対して値Ｂ０を示すこととを負わせて最適化することで、第１のレンズＶ７を基礎として算出することができる。このような最適化算出は、一般的であり、当業者に公知である。
【００４９】
以下、本発明の改良された実施を説明する。その改良された実施は、着用者の凝視における幾つかの異なる仰角に対して着用者のぼやけ知覚に対する敏感度を同時に考慮することを可能にする。ぼやけに対する着用者の敏感度が観察距離、すなわち、着用者が見つめている対象物の遠さの関数として変化できるので、この改良はカスタマイズされたプログレッシブレンズの製造に特に適している。この場合、仰角の参照値のうちの少なくとも１つが、使用する一連のメガネレンズの少なくとも一つの近見視力領域又は遠見視力領域に対応する仰角の値の間隔に含まれることは特に有利である。
【００５０】
仰角の参照値α０に対して以前に記載されていた方法のステップが、他の仰角の参照値α１、α２、．．．に対して繰り返される。したがって、図２と類似の線図は、これらの他の仰角の参照値にも利用できる。その後、各繰り返しは一連のレンズにつながる。そして、それは対応する仰角の参照値に対して、また着用者のために調整された方位角の値βに対して、着用者によって知覚されたぼやけの閾値を表す。このように、Ｖ（０）により示されるレンズは、仰角の参照値α０及び方位角の値βＲＶ（０）（α０）に対して着用者によって知覚されたぼやけの閾値Ｂ０を示し、レンズＶ（１）は、仰角の参照値α１及び方位角の値βＲＶ（１）（α１）、．．．に対して着用者によって知覚されたぼやけの閾値Ｂ１を示す。その後、着用者に割り当てられるために、第２レンズＶは、レンズＶ（０）、Ｖ（１）、．．．の一次結合の形で決定されることができる。
【数１】
0005589060.tif 000002
ここで、レンズＶ（ｉ）の一次結合は、仰角α及び方位角βに対応する後者のそれぞれの矢状高さの一次結合であることができ、ｉは考慮される仰角の参照値に番号をつけるための指標であり、ｎはこれらの仰角の参照値の数である。ａｉは、仰角α及び方位角βに依存する一次結合の係数である。それらは、拘束条件に最適化を追加する間にレンズの光学特性の最適化によって決定されることができる。拘束条件に従って、最適化されたレンズＶ及び各レンズＶ（ｉ）が０．５０ジオプタ未満内で仰角αｉ及び方位角βＲＶ（ｉ）（αｉ）に対して実質的に同じぼやけＢを有する。
【００５１】
通常、図２に関連した特定のケースにおいて上で記載されていたように、第２レンズは最初の一連のレンズから選択されることができる。したがって、この一連のレンズは各処方に対する幾つかのレンズから成らなければならない。各処方は、仰角の各参照値に対して、方位角の関数としてのぼやけの値の可変な分布に対応する。
【００５２】
代替的に、後述するように、第２レンズは選択される第１レンズを基礎として数の最適化を実行することにより選択されることができる。この場合、着用者に対して認められたぼやけの閾値のそれぞれは、対応する仰角の参照値のための、この仰角の参照値に対応すると共に、ぼやけの参照閾値に対応する方位角の値のためのぼやけの目標値として、最適化に導入されることができる。この場合、着用者に対して認められたぼやけの閾値のそれぞれは、対応する仰角の参照値のための、この仰角の参照値に対応すると共に、ぼやけの参照閾値に対応する方位角の値のためのぼやけ目標値として、最適化に導入されることができる。
【００５３】
最終的に、着用者のために意図されたレンズは、選択された第２レンズに従って製造することができる。後のステップは、本発明の実施の形態の関数として、様々な方法で実行されることができる。例えば、用いられる一連のレンズが、一連の真レンズの半仕上げのレンズであるとき、着用者に最終的に割り当てられるレンズは、選択された半仕上げの第２レンズの表面を機械加工することよって製造することができ、着用者の眼科処方を製造する。代替的に、連続のレンズがデジタル・ファイルにより定義されるときに、着用者に割り当てられるレンズは、算出された第２レンズに従ってレンズ素材（blank）の正面及び後面の２つの表面を機械加工することによって、得られることが可能である。
【００５４】
本発明が、与えられた説明に関して特定の変更又は改良を導入することにより実行され得るものと理解される。特に、このステップが実行されるときに、各々のステップを実行するために必要であるデータ及び測定結果が実際に入手可能であるという条件で、ステップ／１／〜／７／の一部の遂行の順序を修正できる。
【符号の説明】
【００５５】
α      仰角
β      方位角
ＦＣ    合わせ十字
Ｄ０    凝視の方向
【図１】
0005589060.tif 000003
【図２】
0005589060.tif 000004